(57)【特許請求の範囲】
【請求項１】
入金口へ投入された紙幣を１枚ずつ繰込んで識別部で識別し、入金可能な紙幣のみを一括一時保留部へ収納し、入金承認指令によりその一括一時保留部内の紙幣を繰出して複数の収納部へ分類収納する入金処理と、出金指令に基づいて前記収納部から必要な紙幣を繰出して識別し、出金可能な紙幣のみを出金口へ投出する出金処理とを行う紙幣入出金装置において、前記複数の収納部は複数の金種別収納部と一つの一括収納部とからなり、前記金種別収納部、前記一括収納部、および前記一括一時保留部はそれぞれ紙幣の入口と出口とが同一とされて収納時と繰出し時とでは紙幣の移動方向が逆になる入出口部を有し、これら各入出口部は一方向に紙幣を搬送するループ状をなす搬送路にそれぞれ連結し、前記一括一時保留部の紙幣を繰出して複数の収納部へ分類収納する際に、表裏の一方側の紙幣は前記金種別収納部へ収納させ、表裏の他方側の紙幣は前記一括収納部へ収納させるとともに、各金種別収納部の紙幣の収納量が減少した場合に出される補充指令時に前記一括収納部へ収納された表裏の他方側の紙幣を繰出して前記金種別収納部へ収納させる制御手段を備え、前記各収納部内の紙幣の表裏を取り揃えるようにしたことを特徴とする紙幣入出金装置。
【請求項２】
前記一括一時保留部の紙幣を繰出して複数の収納部へ分類収納する際に、各金種別収納部の収納可能量よりその金種別収納部へ収納すべき紙幣の量の方が多い場合にはその金種別収納部の紙幣を少なくともその金種別収納部へ収納すべき紙幣の量以上の枚数を繰出して前記一括収納部へ収納させたのちに前記各収納部への分類収納を行なわせる請求項１記載の紙幣入出金装置。
【請求項３】
前記制御手段は更に、入金口へ投入された補充紙幣を複数の収納部へ分類収納する際に、表裏の一方側の紙幣は一括一時保留部へ収納させ、表裏の他方側の紙幣は前記金種別収納部へ収納させるとともに、前記分類収納終了後に前記一括一時保留部へ収納された表裏の他方側の紙幣を繰出して前記金種別収納部へ収納させる制御を行うことを特徴とする請求項１記載の紙幣入出金装置。
【請求項４】
入金口へ投入された紙幣を１枚ずつ繰込んで識別部で識別し、入金可能な紙幣のみを一括一時保留部へ収納し、入金承認指令によりその一括一時保留部内の紙幣を繰出して複数の収納部へ分類収納する入金処理と、出金指令に基づいて前記収納部から必要な紙幣を繰出して識別し、出金可能な紙幣を出金口へ投出させるとともに出金不可の紙幣はリジェクト回収部へ回収する出金処理とを行う紙幣入出金装置において、前記複数の収納部は金種設定がなされた複数の金種別収納部と金種設定がなされていない一つの一括収納部とからなり、前記金種別収納部、前記一括収納部、および前記一括一時保留部はそれぞれ紙幣の入口と出口とが同一とされて収納時と繰出し時とでは紙幣の移動方向が逆になる入出口部を有し、これら各入出口部は一方向に紙幣を搬送するループ状をなす搬送路にそれぞれ連結し、前記一括一時保留部の紙幣を繰出して複数の収納部へ分類収納する際に、前記金種別収納部に金種設定がなされている金種の紙幣については、表裏の一方側の紙幣は前記金種別収納部へ収納させ、表裏の他方側の紙幣は前記一括収納部へ収納させ、金種別収納部に金種設定がなされていない金種の紙幣については、表裏両方の紙幣を前記一括収納部へ収納させるとともに、前記分類収納終了後または補充指令時に前記一括収納部へ収納された紙幣を繰出し、金種別収納部に金種設定がなされている金種の表裏の他方側の紙幣を前記金種別収納部へ収納させ、金種別収納部に金種設定がなされていない金種の紙幣は表裏の他方側の紙幣を前記一括一時保留部へ収納させて出金可能とし、表裏の一方側の紙幣をリジェクト回収部へ回収する制御手段を備え、前記各収納部内の紙幣の表裏を取り揃えるようにしたことを特徴とする紙幣入出金装置。
【発明の詳細な説明】
【０００１】
【発明の属する技術分野】
本発明は、銀行等の金融機関で用いられ、紙幣の入金処理および出金処理を行なう紙幣入出金装置に係り、特に紙幣の表裏を反転させて表裏を取り揃えるための反転機構を有することなく表裏を取り揃えることができる紙幣入出金装置に関する。
【０００２】
【従来の技術】
紙幣の入金処理および出金処理を自動的に行なわせる紙幣入出金装置は、一般に入金紙幣を受入れて１枚ずつ繰込む入金口部と、繰込まれた紙幣を搬送する搬送路と、この搬送路中に設けられて紙幣の金種、真偽、表裏等を識別する識別部と、入金紙幣を一括あるいは金種別に分類した状態で一時保留する一時保留部と、紙幣を金種別に収納するとともに必要な紙幣を１枚ずつ繰出すことができる金種別収納部と、これら金種別収納部から繰出された出金紙幣を外部から取出し可能に投出する出金口部とを有し、前記入金口部に投入された紙幣を１枚ずつ繰込んで識別し、入金可能な紙幣のみを一時保留部に一時保留させ、入金承認指令によりその一時保留紙幣を金種別収納部へ収納する入金処理と、出金指令に基づいて金種別収納部から必要な紙幣を繰出して識別し、出金可能な紙幣のみを出金口部へ投出する出金処理とが行なえるようになっている。
【０００３】
また、金種別収納部が満杯状態になったときや業務が終了したときに金種別収納部から紙幣を回収する収納部として、あるいは金種別収納部の紙幣が不足したときや業務の始業時に紙幣を金種別収納部へ補充するための補充紙幣の収納部として使用される一括収納部が設けられている。
【０００４】
一方、銀行等の金融機関では、顧客に紙幣を手渡すとき、すべての紙幣を表向きに取り揃えて渡すことが慣例となっており、そのため金融機関で使用される紙幣入出金装置には紙幣搬送路の一箇所に紙幣の表裏を反転させて取り揃えるための表裏反転機構が設けられ、裏向きの紙幣が送られてきたときこれを分岐させてスイッチバック方式により表裏の反転を行ない、元の搬送路へ合流させることにより表裏が揃うようになされている。この表裏反転は、入金処理時か出金処理時のいずれかに行なわれる。
【０００５】
【発明が解決しようとする課題】
しかるに従来の紙幣入出金装置では、紙幣の表裏を取り揃えることが必要な装置とする場合に搬送路の途中部に表裏反転機構を設けることが必須であり、この表裏反転機構は紙幣の搬送方向全域を一旦受入れるだけのスペースが必要となることなどから、搬送路の構造が複雑化するばかりでなく装置が大型化し、かつコストも嵩むものとなるなどの問題点があった。
【０００６】
【課題を解決するための手段】
本発明は、表裏反転機構を設けることなく紙幣の表裏を取り揃えることができ、装置の小型化、簡素化、および低コスト化を図ることができる紙幣入出金装置を提供することを課題とするものである。
【０００７】
上記課題を解決する手段として本発明は、入金口へ投入された紙幣を１枚ずつ繰込んで識別部で識別し、入金可能な紙幣のみを一括一時保留部へ収納し、入金承認指令によりその一括一時保留部内の紙幣を繰出して複数の収納部へ分類収納する入金処理と、出金指令に基づいて前記収納部から必要な紙幣を繰出して識別し、出金可能な紙幣のみを出金口へ投出する出金処理とを行う紙幣入出金装置において、前記複数の収納部は複数の金種別収納部と一つの一括収納部とからなり、前記金種別収納部、前記一括収納部、および前記一括一時保留部はそれぞれ紙幣の入口と出口とが同一とされて収納時と繰出し時とでは紙幣の移動方向が逆になる入出口部を有し、これら各入出口部は一方向に紙幣を搬送するループ状をなす搬送路にそれぞれ連結し、前記一括一時保留部の紙幣を繰出して複数の収納部へ分類収納する際に、表裏の一方側の紙幣は前記金種別収納部へ収納させ、表裏の他方側の紙幣は前記一括収納部へ収納させるとともに、各金種別収納部の紙幣の収納量が減少した場合に出される補充指令時に前記一括収納部へ収納された表裏の他方側の紙幣を繰出して前記金種別収納部へ収納させる制御手段を備え、前記各収納部内の紙幣の表裏を取り揃えるようにしたことにある。
【０００８】
前記金種別収納部が満杯時の場合を考慮して、前記一括一時保留部の紙幣を繰出して複数の収納部へ分類収納する際に、各金種別収納部の収納可能量よりその金種別収納部へ収納すべき紙幣の量の方が多い場合にはその金種別収納部の紙幣を少なくともその金種別収納部へ収納すべき紙幣の量以上の枚数を繰出して前記一括収納部へ収納させたのちに前記各収納部への分類収納を行なわせるようにすることができる。
【０００９】
前記入金口からの補充時に表裏を取り揃えるようにする場合は、入金口へ投入された補充紙幣を複数の収納部へ分類収納する際に、表裏の一方側の紙幣は一括一時保留部へ収納させ、表裏の他方側の紙幣は前記金種別収納部へ収納させるとともに、前記分類収納終了後または補充指令時に前記一括一時保留部へ収納された表裏の他方側の紙幣を繰出して前記金種別収納部へ収納させるようにすることができる。
【００１０】
さらに一括一時保留部も一つの金種の収納部として兼用される場合は、一括一時保留部の紙幣を繰出して複数の収納部へ分類収納する際に、前記金種別収納部に金種設定がなされている金種の紙幣については、表裏の一方側の紙幣は前記金種別収納部へ収納させ、表裏の他方側の紙幣は前記一括収納部へ収納させ、金種別収納部に金種設定がなされていない金種の紙幣については、表裏両方の紙幣を前記一括収納部へ収納させるとともに、前記分類収納終了後に前記一括収納部へ収納された紙幣を繰出し、金種別収納部に金種設定がなされている金種の表裏の他方側の紙幣を前記金種別収納部へ収納させ、金種別収納部に金種設定がなされていない金種の紙幣は表裏の他方側の紙幣を前記一括一時保留部へ収納させて出金可能とし、表裏の一方側の紙幣をリジェクト回収部へ回収するようにすることができる。
【００１１】
【発明の実施の形態】
以下、本発明を図面に示す実施の形態を参照して説明する。
【００１２】
図１は紙幣入出金装置の一実施形態の縦断側面視の概要図を示すもので、装置本体１の前面上部には入金口部２が設けられ、その紙幣入金口３に続いて入金繰込み部４が設けられている。この繰込み部４は、紙幣を水平方向に搬送するベルト５と、このベルト５の上面に転接され紙幣を１枚ずつに分離する逆転ローラ６と、上記搬送ベルト５の上面上の紙幣の浮き上がりを防ぐため先端がバネ７の付勢により奥側に向けて下降するよう枢支された押え板８等で構成され、上記搬送ベルト５の駆動は専用のモータＭ１により行なわれる。
【００１３】
前記搬送ベルト５の後端に続いて入金紙幣の金種、真偽、正損、表裏等を識別して入金の可否を判定する入金識別部９を有する識別搬送路１０が側面視コ字状を画くようにベルト群により構成されており、この識別搬送路１０の末端は装置本体１の前後方向中央位置まで延び、ここから垂直方向に配設された入金搬送路１１に続いている。
【００１４】
上記入金搬送路１１の下端は装置本体１の底部近くで折り返されて該搬送路１１と平行して垂直方向上方に延びる出金搬送路１２に続いており、その折り返し部の直後の出金搬送路１２中に出金識別部１３が設けられている。この出金搬送路１２の上方は前記繰込み部４と入金識別部９との間の識別搬送路１０の一部を構成するようになっていて、これらによりループ状の搬送系を構成している。そしてこれら搬送系は専用のモータＭ２により一方向にのみ駆動される。
【００１５】
前記紙幣入金口部２の直下位置には紙幣出金口部１４が、さらにその直下位置にはリジェクト回収部１５が配設され、このリジェクト回収部１５の下方位置には紙幣の補充回収カセットを兼ねる一括収納部１６が装置本体１の前扉１７を開けて出し入れ可能に設けられている。
【００１６】
上記出金口部１４は、装置本体１の前面に開口する出金口１８の開口部上縁のレベルと略一致する位置が下部走行面とされ前後のプーリー間に張装されたベルト１９と、このベルト１９の直下位置にあって図示しないソレノイド等の駆動手段により駆動される昇降機構２０を介して水平姿勢のまま上下動する受板２１とを有し、上記出金口部１４の入口側には上記受板２１上に送入される紙幣の後端をはたき落として受板２１上に良好に集積させるための羽根車２２が設けられている。また上記受板２１の前後位置には、周面の一部が受板２１の上面から突出するようにローラ２３，２３が軸支されており、前記ベルト１９の駆動により紙幣がスムーズに出金口１８へその一部が突出して取出し可能に投出されるようになっている。
【００１７】
前記リジェクト回収部１５は、上面が開放されたトレイ状の収納カセットからなっており、装置本体１の前扉１７を開けることにより外部に引出せるようになっている。
【００１８】
上記リジェクト回収部１５の入口部には、前記出金口部１４のベルト１９の入口側端部位置から切換爪２４の切換えによって該出金口部１４の紙幣を逆送して導くためのベルト２５，２６が設けられており、出金紙幣のリジェクト時にその紙幣をリジェクト回収部１５内に収納することができるように構成されている。上記出金口部１４のベルト１９、羽根車２２等は専用のモータＭ３により駆動される。
【００１９】
前記入金搬送路１１に対し装置本体１の奥側には、紙幣の収納および１枚ずつの繰出しができる収納部２７、２８、２９、３０が上下方向に４個配設されている。これらの収納部２７〜３０は、紙幣の入口と出口が同一とされ、収納時と繰出し時とでは紙幣の移動方向が逆になる入出口部３１を有し、これら各入出口部３１は前記入金搬送路１１に連結されている。
【００２０】
上記各収納部２７〜３０は、いずれも同じ構成を有するので、その収納部をどのように使用するか、あるいは、入金時の紙幣を一括して一時保留する一括一時保留部として使用するかというように自由に設定することができるようになっている。
【００２１】
各収納部の内部構造をその一つ（最上部の収納部２７）を代表して概略を説明すると、筐体３３内の略中央位置に正逆回転自在で周面に紙幣が巻付けられる単一の回転ドラム３４が軸支され、この回転ドラム３４の周縁に２種のテープ３５，３６が共に巻付けられ、これらテープのうち一方のテープ３５は筐体３３の入出口部３１の内側上部に位置するプーリ３７、中間プーリー３８を経由して巻取軸３９に巻付けられ、他方のテープ３６は前記入出口部３１の内側下部に位置するプーリー４０、中間プーリー４１を経由して別の巻取軸４２に巻付けられている。そして各部は専用のモータＭ４（Ｍ５、Ｍ６、Ｍ７）により正逆駆動される。
【００２２】
したがって紙幣を収納するときは、回転ドラム３４が正転（図１において反時計方向に回転）して入出口部３１から送入される紙幣をテープ３５，３６間に挟み込み、回転ドラム３４の周面に順次巻付けて収納し、紙幣を繰出すときは回転ドラム３４が逆転駆動（時計方向に回転）してテープ３５，３６間に挟持されていた紙幣をプーリー３７，４０間から入出口部３１へ送出するようになっている。
【００２３】
したがって、紙幣をこれらの収納部に一旦収納して繰出すことによって、紙幣自体は収納時の先端側と繰出し時の先端側が逆になり、スイッチバック方式に表裏反転されることになる。
【００２４】
前記筐体３３にはコネクタ４３が設けられており、装置本体１側のコネクタ４４と接続されている。
【００２５】
上記各収納部２７〜３０はいずれも専用のモータＭ４，Ｍ５，Ｍ６，Ｍ７、センサ類、およびこれらの制御部を備えた独立したユニット構成とされており、したがって前記のコネクタ４３，４４により接続することにより他のユニットと自由に変換が可能とされている。また前述の入金繰込み部４、紙幣出金部１４、一括収納部１６もユニット化されており、前記と同様にコネクタにより接続されている。
【００２６】
前記一括収納部１６は、各収納部２７〜３０と同様に、紙幣の入口と出口が同一とされ、収納時と繰出し時では紙幣の移動方向が逆になる入出口部４９を有し、この入出口部４９は前記出金搬送路１２に連結されている。その内部構造は、モータＭ８により昇降されるステージ４５を有し、このステージ４５上に紙幣Ｐが集積状態に収納されるもので、上方部には紙幣Ｐを繰出すためのベルト４６が水平方向に配設され、その前端のプーリー４７とその下部のローラ４８との間を通して入出口部４９からの紙幣の受入れまたは繰出しがなされるようになっており、このベルト４６はモータＭ９により駆動される。したがって、この一括収納部１６も紙幣を一旦収納して繰出すことにより紙幣の表裏反転がなされるようになっている。
【００２７】
前記各収納部２７〜３０の各入出口部３１，３１…および一括収納部１６の入口部４９には、入金搬送路１１および出金搬送路１２に連通、非連通とする切換機構５０がそれぞれ設けられている。また５１は入金搬送路１１と出金搬送路１２を最短で結ぶショートカット通路５２への切替爪であり、最上段の収納部２７を一括一時保留部として使用した場合に、一時保留紙幣を返却するのに最短コースを通って出金部１４へ搬送したり、入金時のリジェクト紙幣を最短コースを通って出金部１４へ搬送することができるようになっている。
【００２８】
制御部６０は、前記入金識別部９および出金識別部１３で識別される紙幣の金種と表裏を各収納部に収納される順番と対応させて記憶する記憶部６１を有し、各収納部の紙幣を繰出して別の収納部へ移動させるとき前記記憶部６１に記憶された金種と表裏およびその順番とに応じて紙幣を対応する収納部へ収納させる制御を行なう。
【００２９】
図１において△印は各部に設けられて紙幣の通過を検知し、所定の信号を得るためのセンサを示す。
【００３０】
次に、本発明の第１実施形態として前記各収納部の使用方法を図２に示すように設定した場合について説明する。すなわち、最上段の収納部２７を一括一時保留部として設定し、他の３個の収納部２８、２９、３０を金種別収納部として上から順に万円収納部、５千円収納部、千円収納部に金種別設定がなされている。
図３、図４はその紙幣の入出金時、補充時の流れを太線で示している。また以下の説明において、本発明における紙幣の『表裏の一方側』を「表」、同『他方側』を「裏」と略称して説明することとする。
【００３１】
図３（Ａ）は入金時における一括一時保留までの流れを示し、入金口３に挿入された紙幣は１枚ずつ繰込まれて識別部９で金種および表裏が識別されるとともに繰込み順が記憶部６１に記憶されて一括一時保留部２７へ順次送り込まれる。なお金種が特定できない紙幣等はリジェクト紙幣として点線で示すようにショートカット通路５２を通じて出金口１８へ返却される。
【００３２】
一時保留後入金承認指示があると、図３（Ｂ）のように一括一時保留部２７から紙幣が１枚ずつ繰出され、入金繰込み時に記憶されている金種およびその表裏の内容にしたがって各収納部へ分類収納される。すなわち入金時に「表」が上となっていた紙幣については、万円紙幣は収納部２８へ、５千円紙幣は収納部２９へ、千円紙幣は収納部３０へそれぞれ分類収納される。一方、入金時に「表」が上となっていた紙幣は全金種とも一括収納部１６へ収納される。
【００３３】
上記作用において、図３（Ａ）で入金口３へ紙幣の「表」を上にして挿入された紙幣は一括一時保留部２７へは同じく「表」が上（外面側）となって巻付けられて収納される。図３（Ｂ）の分類収納時には、一括収納部１６へ「裏」が上となって集積状態に収納される。
【００３４】
一方、図３（Ａ）で入金口３へ紙幣の「裏」を上にして挿入された紙幣は一括一時保留部２７へは同じく「裏」が上（外面側）となって巻付けられて、図３（Ｂ）の分類収納時には、各収納部２８、２９、３０へは一括収納部１６へ「裏」が上となって集積状態に収納される。
【００３５】
なお、一括一時保留部２７に一時保留されたのち入金不承認指示があったときは、図３（Ｃ）のようにショートカット通路５２を通って出金口１８へ返却される。この場合は、一括一時保留部２７からそのまま出金口１８へ直接投出されるので表裏の取り揃えは行われず、入金時の状態のまま投出される。
【００３６】
また金種別収納部２８、２９、３０の各収納可能量よりその金種別収納部へ収納すべき紙幣の量のほうが多い場合には、図３（Ｄ）のように前記分類収納動作に入る前に該当する収納部２８〜３０の紙幣を少なくともその収納部へ収納すべき紙幣の量以上の枚数を繰出して一括収納部１６へ回収し、その後に図３（Ｂ）の分類収納を行なう。この一括収納部１６への送入は「裏」が上となって収納されるので、図３（Ｂ）の一括一時保留部２７からの分類収納時に一括収納部１６へ収納された紙幣（入金時に「裏」が上となっていた紙幣）と表裏が取り揃えられて収納されることになる。
【００３７】
次の出金の場合について説明する。
【００３８】
図４（Ａ）は、出金指令に基づいて各金種別収納部２８、２９、３０から出金される紙幣の流れを示し、各収納部２８、２９、３０から繰出された紙幣は出金識別部１３を通って識別されたのち出金口部１４の受板２１上にすべて「裏」が上となって集積される。この場合、前記入金時の分類収納（図３（Ｂ）示）の際に裏紙幣は金種別収納部２８、２９、３０へは送入されず、一括収納部１６に収納するように仕分けられているので、各収納部２８〜３０から繰出される紙幣はすべて「裏」が上（外面側）となって巻取られて収納されていることにより出金口部１４へ送入される出金紙幣はすべて「裏」が上となって集積されることになり、出金口１８から抜きとったのち反転させればすべて「表」が上の状態になる。
【００３９】
図４（Ｂ）は、金種別収納部２８、２９、３０内の紙幣の収納量が減少したとき一括収納部１６内の紙幣を各収納部２８、２９、３０へ戻して補充する際の流れを示すもので、一括収納部１６内に「裏」が上となって収納されている紙幣を繰出して識別部９を通し、各識別された紙幣と対応する金種別収納部２８〜３０へ分類収納する。このとき紙幣は「裏」が上となって繰出されるので、各収納部２８〜３０へは「裏」が外面側となって巻取られて収納され、図３（Ｂ）の分類収納時と同じ状態になる。
【００４０】
図４（Ｃ）は、入金口３から補充する場合を示すもので、紙幣の「表」を上にして入金口３へ挿入されたときは、紙幣の流れとしては図３（Ａ）、（Ｂ）の入金→分類収納と同様に一旦一括一時保留部２７へ収納し（「表」が外面側）、次いでここから繰出して識別部９を通じ記憶されている金種と順番とに基づいて各金種別収納部２８〜３０へ分類補充される（「裏」が外面側となって収納）。
【００４１】
入金口３へ紙幣の「裏」を上として挿入された場合は、図４（Ｄ）のように一括一時保留部２７へは送入せずに直接金種別収納部２８、２９、３０へ分類補充する。これにより各金種別収納部２８〜３０へは図３（Ｂ）および図４（Ｃ）と同じく「裏」が外面側となって収納される。
【００４２】
したがって入金時および補充時とも金種別収納部２８、２９、３０へは紙幣の表裏がすべて同じ向きで収納され、各収納部２８〜３０からの出金時に表裏が混在することがない。
【００４３】
図５は本発明の第２実施形態としての各収納部の使用方法を示すもので、最上段の収納部２７を一括一時保留部と５千円紙幣（使用量が最も少ない紙幣）の収納部とに兼用し、金種別収納部として収納部２８、２９を共に万円紙幣（使用量が最も多い紙幣）の収納部３０を千円紙幣の収納部として金種設定されている。
一括一時保留部と５千円紙幣の収納部を兼用にした収納部２７は、回転ドラム３４の中心に近いところに５千円紙幣を収納しておき、その収納箇所より後側を一括一時保留部として使用するものである。
【００４４】
図６（Ａ）は入金時における一括一時保留までの流れを示し、入金口３に挿入された紙幣は１枚ずつ繰込まれて識別部９で金種および表裏が識別されるとともに繰込み順が記憶部６１に記憶されて一括一時保留部２７へ順次送り込まれる。金種が特定できない紙幣等はりリジェクト紙幣として点線で示すようにショートカット通路５２を通って出金口１８へ返却される。
【００４５】
一時保留後入金承認指示があると、図６（Ｂ）のように一括一時保留部２７から紙幣が１枚ずつ繰出され、入金繰込み時に記憶されている金種およびその表裏の内容にしたがって、入金口３へのセット時に「表」が上であった万円紙幣は金種別収納部２８または２９へ分配収納し、同じく「表」が上であった千円紙幣は金種別収納部３０へ収納される。
【００４６】
入金口３へのセット時に「裏」が上となっていた万円、千円紙幣と、金種別収納部として金種設定がなされていない５千円紙幣については表裏に関係なくいずれも一括収納部１６へ送り込まれる。したがって金種別収納部２８、２９、３０へは万円紙幣、千円紙幣がいずれも「裏」が外面側となって巻取られて収納され、一括収納部１６では万円、千円紙幣は「裏」が上、５千円紙幣は表裏混在の状態で収納される。
【００４７】
図６（Ｃ）は５千円紙幣を出金に要しない場合の出金紙幣の流れを示すもので、各金種別収納部２８、２９、３０から出金に必要な紙幣（万円、千円）が繰出され、出金識別部１３を通って出金口部１４へ送り込まれ、受板２１上にすべて「裏」が上となって集積され、出金口１８から出金される。また、出金時に生じたリジェクト紙幣は点線で示すように該当するリジェクト紙幣のみが一括一時保留部２７へ収納される。
【００４８】
出金処理の終了後、一括一時保留部２７内のリジェクト紙幣を出金口部１４へ戻し、リジェクト回収部１５へ回収し、出金をやり直す。
【００４９】
図６（Ｄ）は５千円紙幣を含む出金の場合を示すもので、５千円紙幣は一括一時保留部２７から繰出し、万円、千円の紙幣は図６（Ｃ）と同様に収納部２８、２９、３０から繰出して出金口部１４へ集積する。このとき出金識別部１３でリジェクト紙幣と判断された紙幣が混在した場合には、出金口部１４から点線で示すようにすべての紙幣を一括してリジェクト回収部１５へ回収し、出金をやり直す。
【００５０】
図７（Ａ）は、一括収納部１６内の紙幣を一括一時保留部２７の５千円を含み金種別収納部２８、２９、３０へ補充する場合を示すもので、一括収納部１６内の万円、千円紙幣は「裏」が上になっているので収納部２８、２９、３０へは「裏」が外面側となって巻取られて収納され、５千円紙幣については表裏が混在しているため一括収納部１６内で「裏」が上となっている５千円紙幣は一括一時保留部２７内に収納し、「表」が上になっていた５千円紙幣およびリジェクト紙幣は点線で示すように一旦出金口部１４へ入れたのちリジェクト回収部１５へ回収される。なおこのとき搬送路が一部重複するので、「表」が上になった５千円紙幣およびリジェクト紙幣が入金識別部９で識別された時点で、一括収納部１６からの繰出しを一時停止して紙幣の回収を優先的に行なうようになっている。
【００５１】
図７（Ｂ）〜（Ｄ）は入金口３から一括一時保留部２７への５千円紙幣の補充を行なう場合を示すもので、入金口３へ５千円紙幣の「表」を上として挿入された場合は図７（Ｂ）のように一旦一括収納部１６内に収納し（「裏」が上となって収納）、次いで一括収納部１６から繰出して図７（Ｃ）のように一括一時保留部２７へ収納する。したがって一括一時保留部２７では「裏」が外面側となって巻付けられる。
【００５２】
入金口３に「裏」が上となって挿入された５千円紙幣は、図７（Ｄ）のようにそのまま直接一括一時保留部２７へ送り込まれ、「裏」が外面側となって巻取られて収納される。
【００５３】
また、万円紙幣と千円紙幣の入金口３からの補充については、第１実施形態の場合と同様であるので、ここでの説明は省略する。
【００５４】
なお、第１時実施形態、第２実施形態ともに一括収納部１６から金種別収納部あるいは一括一時保留部（５千円）へ紙幣を補充するタイミングとしては、各収納部の紙幣の収納量が減少して補充指令が出された場合に行なうか、あるいは一括一時保留部２７の紙幣の各収納部への分配収納が終了する都度行なう場合があり、いすれの場合でも設定することができる。
【００５５】
これにより一括一時保留部２７内の５千円紙幣、金種別収納部２８、２９、３０内の万円、千円紙幣はいずれも「裏」が外面側となって巻取られて収納されることになり、出金時にはいずれの紙幣も同一面が揃った状態で投出することができる。
【００５６】
【発明の効果】
以上説明したように本発明によれば、一括一時保留部、金種別収納部、一括収納部を有し、これら各部の紙幣の入口と出口とを同一の構成とし、これら各部に紙幣を出入りさせることで表裏を反転させるようにしたことにより、従来紙幣の表裏を取り揃えるために必須とされていた表裏反転機構を設ける必要がなく、これにより紙幣入出金装置の構成、特に紙幣の搬送系の構成を著しくシンプルにでき、かつスペースも省略することができるので装置全体を小型に構成することができる。
【図面の簡単な説明】
【図１】本発明による紙幣入出金装置の一実施形態を示す略示縦断側面図。
【図２】本発明の第１実施形態の模式図。
【図３】（Ａ）〜（Ｄ）は図２の作用説明図。
【図４】（Ａ）〜（Ｄ）は図２の作用説明図。
【図５】本発明の第２実施形態を示す模式図。
【図６】（Ａ）〜（Ｄ）は図５の作用説明図。
【図７】（Ａ）〜（Ｄ）は図５の作用説明図。
【符号の説明】
２  紙幣入金口部
３  入金口
４  入金繰込み部
９  入金識別部
１０  識別搬送路
１１  入金搬送路
１２  出金搬送路
１３  出金識別部
１４  紙幣出金口部
１５  リジェクト回収部
１６  一括収納部
１８  出金口
２７  一括一時保留部
２８、２９、３０  金種別収納部
３１、３２、４９  入出口部
５０  切換機構
５２  ショートカット通路
６０  制御部
６１  記憶部
【図１】
0003850556.tif 000002
【図２】
0003850556.tif 000003
【図３】
0003850556.tif 000004
【図４】
0003850556.tif 000005
【図５】
0003850556.tif 000006
【図６】
0003850556.tif 000007
【図７】
0003850556.tif 000008